(57)【要約】      （修正有）【課題】ハンドヘルド型モバイル端末固定装置の保護カバーを提供する。【解決手段】ハンドヘルド型モバイル端末固定装置の保護カバーであって、位置決めフレーム２を備え、外部の固定装置上に設置され、位置決めフレーム２がフレーム２２を備え、フレーム２２内壁に外部のモバイル端末６を嵌持して位置決めすることができ、フレーム２２上に取り外し可能でかつ固定装置に連結するために用いる第１連結部２０が設けられ、前記固定装置が位置決めフレーム２を外部物品上に固定してモバイル端末６を懸持するために用いられ、これにより周辺にポールがある場所に簡単かつ迅速に取り付けたり、取り外したりすることができる。【選択図】図１
0003180903.tif 000002
【実用新案登録請求の範囲】
【請求項１】
ハンドヘルド型モバイル端末固定装置の保護カバーであって、
外部の固定装置上に設置される位置決めフレームを備え、
前記位置決めフレームがフレームを備え、
前記フレームは、内壁に外部のモバイル端末を嵌持して位置決めするために用いられ、
前記位置決めフレーム上に取り外し可能で、かつ前記固定装置に連結するために用いる第１連結部が設けられ、
前記固定装置が前記位置決めフレームを外部物品上に固定してモバイル端末を保持するために用いられることを特徴とする、
ハンドヘルド型モバイル端末固定装置の保護カバー。
【請求項２】
前記位置決めフレームがベース座体を備え、前記フレームが前記ベース座体の周辺に環状に設けられ、前記ベース座体と前記フレームの内壁の間に外部のモバイル端末を嵌持して位置決めするために用いる位置決め槽が形成され、かつ第１連結部が前記フレーム、または前記ベース座体上の前記位置決め槽と反対の位置に設けられたことを特徴とする、請求項１に記載のハンドヘルド型モバイル端末固定装置の保護カバー。
【請求項３】
前記固定装置が延伸棒と固定部材を含み、前記位置決めフレームの第１連結部が前記延伸棒の一端に設けられ、前記固定部材が前記延伸棒の他端に設けられ、平面または棒体を含む前記外部物品上に前記延伸棒と前記位置決めフレームを固定するために用いられ、前記延伸棒が垂直または水平方向に剛性を備え、前記固定部材が水平または垂直の平面または棒体を挟み込み、使用者がモバイル端末をタッチ制御できるようにして、モバイル端末が使用者によってタッチされるとき、前記延伸棒と前記固定部材により前記外部物品上に強制的に位置決めされ、ぐらつきやずれが生じないようにモバイル端末が保持されることを特徴とする、請求項１に記載のハンドヘルド型モバイル端末固定装置の保護カバー。
【請求項４】
前記固定装置が固定部材を含み、前記位置決めフレームの第１連結部が前記固定部材上に設けられ、かつ前記固定部材が平面または棒体を含む前記外部物品上に前記位置決めフレームを固定するために用いられ、前記固定部材が水平または垂直の平面または棒体を挟み込み、使用者がモバイル端末をタッチ制御できるようにして、モバイル端末が使用者によってタッチされるとき、前記固定部材により前記外部物品上に強制的に位置決めされ、ぐらつきやずれが生じないようにモバイル端末が保持されることを特徴とする、請求項１に記載のハンドヘルド型モバイル端末固定装置の保護カバー。
【請求項５】
前記位置決めフレームとモバイル端末の接触面が緩衝パッドを含み、前記位置決めフレームのモバイル端末表面に対する滑り止め機能を高めるよう構成したことを特徴とする、請求項１に記載のハンドヘルド型モバイル端末固定装置の保護カバー。
【請求項６】
前記フレームが前記ベース座体の一側に設置された固定枠と、前記ベース座体の他方の一側に可動的に配置された可動枠を含み、前記可動枠を前記ベース座体の他方の一側に可動的に配置する方式が、ガイド棒、軌道、刻み、歯車の摺動、引っ張り、回動を含み、前記可動枠と固定枠間をちょうど前記モバイル端末が入るように調整したとき、挟み込み、ネジ止め、粘力、油圧、表面張力、加圧、バネの引っ張り力、吸引力、トルクを含む方式で、前記可動枠を固定枠の方向に駆動して移動させ、前記モバイル端末を挟持し、さまざまな寸法のモバイル端末が前記可動枠と固定枠の間にしっかりと挟持されることを特徴とする、請求項２に記載のハンドヘルド型モバイル端末固定装置の保護カバー。
【請求項７】
前記位置決めフレームとモバイル端末の接触面が緩衝パッドを含み、前記位置決めフレームのモバイル端末表面に対する滑り止め機能を高めたことを特徴とする、請求項６に記載のハンドヘルド型モバイル端末固定装置の保護カバー。
【請求項８】
前記位置決めフレームの前記ベース座体または前記緩衝パッド上に前記モバイル端末を吸着して保持できる少なくとも１つの吸盤が設置され、モバイル端末をよりしっかりと保持できるように前記位置決めフレームとモバイル端末の密着力を増加したことを特徴とする、請求項７に記載のハンドヘルド型モバイル端末固定装置の保護カバー。
【請求項９】
前記吸盤が、一体成型、粘着、嵌入または挿入の方式で前記ベース座体内面または前記緩衝パッド上に設置されることを特徴とする、請求項８に記載のハンドヘルド型モバイル端末固定装置の保護カバー。
【請求項１０】
前記フレームが環状またはコ字形であることを特徴とする、請求項１に記載のハンドヘルド型モバイル端末固定装置の保護カバー。
【請求項１１】
前記位置決めフレームと前記第１連結部の間が第１係合部と第２係合部により相互に組み立てられ、前記第１連結部を前記位置決めフレーム上に迅速に連結したり、前記第１連結部を前記位置決めフレーム上から迅速に取り外したりすることができ、前記第１連結を前記位置決めフレーム上から取り外した後、前記位置決めフレームが前記モバイル端末の一般的なカバーとして使用可能であることを特徴とする、請求項１に記載のハンドヘルド型モバイル端末固定装置の保護カバー。
【考案の詳細な説明】
【技術分野】
【０００１】
本考案はハンドヘルド型モバイル端末固定装置の保護カバーに関し、特に、携帯可能で、携帯電話、ゲーム機、電子ブックリーダー、ＧＰＳナビゲーションシステム、タブレットコンピュータ等のモバイル端末を保持して保持することができる、可動式固定装置の保護カバーに関する。
【背景技術】
【０００２】
近年、携帯電話やタブレットコンピュータ等のハンドヘルド型モバイル端末が非常に普及しており、ほぼ誰もが１台保有している。これらモバイル端末のサイズは小型軽量化が進んでいるが、長時間手に持っていると普段運動不足の人々にとっては徐々に筋肉に負担が蓄積される。
【０００３】
小型のモバイル端末に使用するために別途固定器材が設計されているが、迅速に固定し、便利に取り外すことができ、かつ体積が小さく軽量で、携帯しやすいようにフレームを容易に収縮させることができる効果を備えたものはないため、改善が必要である。
【考案の概要】
【考案が解決しようとする課題】
【０００４】
本考案の目的は、携帯が可能で、携帯電話、ゲーム機、電子ブックリーダー、ＧＰＳナビゲーションシステムまたはタブレットコンピュータ等のモバイル端末を挟持して懸持でき、上述の先行技術中の多くの問題を克服することができる、可動式固定装置の保護カバーを提供することにある。
【課題を解決するための手段】
【０００５】
上述の目的を達するため、本願の第１考案は、外部の固定装置上に設置される位置決めフレームを備え、前記位置決めフレームがフレームを備え、フレーム内壁に外部のモバイル端末が嵌持されて位置決めされ、前記位置決めフレーム上に取り外し可能で、かつ固定装置に連結するために用いる第１連結部が設けられ、前記固定装置が位置決めフレームを外部物品上に固定してモバイル端末を保持するために用いられ、これにより、筋肉の疲労を低減し、肩や首が過度に使用されてコリや痛みを生じることを防止できる、ハンドヘルド型モバイル端末固定装置の保護カバーを提供する。
【０００６】
本願の第２考案は、前記位置決めフレームがベース座体を備え、前記フレームが前記ベース座体の周辺に環状に設けられ、前記ベース座体と前記フレーム内壁の間に外部のモバイル端末を嵌持して位置決めするために用いる位置決め槽が形成され、かつ第１連結部が前記フレーム、または前記ベース座体上の前記位置決め槽と反対の位置に設けられたことを特徴とする、前記第１考案のハンドヘルド型モバイル端末固定装置の保護カバーを提供する。
【０００７】
本願の第３考案は、前記固定装置が延伸棒と固定部材を含み、前記位置決めフレームの第１連結部が前記延伸棒の一端に設けられ、前記固定部材が前記延伸棒の他端に設けられ、平面または棒体を含む前記外部物品上に前記延伸棒と前記位置決めフレームを固定するために用いられ、前記延伸棒が垂直または水平方向に剛性を備え、前記固定部材が水平または垂直の平面または棒体を挟み込み、使用者がモバイル端末をタッチ制御できるようにして、モバイル端末が使用者によってタッチされるとき、前記延伸棒と前記固定部材により前記外部物品上に強制的に位置決めされ、ぐらつきやずれが生じないようにモバイル端末が保持されることを特徴とする、前記第１考案のハンドヘルド型モバイル端末固定装置の保護カバーを提供する。
【０００８】
本願の第４考案は、前記固定装置が固定部材を含み、前記位置決めフレームの第１連結部が前記固定部材上に設けられ、かつ前記固定部材が平面または棒体を含む前記外部物品上に前記位置決めフレームを固定するために用いられ、前記固定部材が水平または垂直の平面または棒体を挟み込み、使用者がモバイル端末をタッチ制御できるようにして、モバイル端末が使用者によってタッチされるとき、前記固定部材により前記外部物品上に強制的に位置決めされ、ぐらつきやずれが生じないようにモバイル端末が保持されることを特徴とする、前記第１考案のハンドヘルド型モバイル端末固定装置の保護カバーを提供する。
【０００９】
本願の第５考案は、前記位置決めフレームとモバイル端末の接触面が緩衝パッドを含み、前記位置決めフレームのモバイル端末表面に対する滑り止め機能を高めるよう構成したことを特徴とする、前記第１考案のハンドヘルド型モバイル端末固定装置の保護カバーを提供する。
【００１０】
本願の第６考案は、前記フレームが前記ベース座体の一側に設置された固定枠と、前記ベース座体の他方の一側に可動的に配置された可動枠を含み、前記可動枠を前記ベース座体の他方の一側に可動的に配置する方式が、ガイド棒、軌道、刻み、歯車の摺動、引っ張り、回動を含み、前記可動枠と固定枠間をちょうど前記モバイル端末が入るように調整したとき、挟み込み、ネジ止め、粘力、油圧、表面張力、加圧、バネの引っ張り力、吸引力、トルクを含む方式で、前記可動枠を固定枠の方向に駆動して移動させ、前記モバイル端末を挟持し、さまざまな寸法のモバイル端末が前記可動枠と固定枠の間にしっかりと挟持されることを特徴とする、前記第２考案のハンドヘルド型モバイル端末固定装置の保護カバーを提供する。
【００１１】
本願の第７考案は、前記位置決めフレームとモバイル端末の接触面が緩衝パッドを含み、前記位置決めフレームのモバイル端末表面に対する滑り止め機能を高めたことを特徴とする、前記第６考案のハンドヘルド型モバイル端末固定装置の保護カバーを提供する。
【００１２】
本願の第８考案は、前記位置決めフレームのベース座体または緩衝パッド上に前記モバイル端末を吸着して保持できる少なくとも１つの吸盤が設置され、モバイル端末をよりしっかりと保持できるように前記位置決めフレームとモバイル端末の密着力を増加したことを特徴とする、前記第７考案のハンドヘルド型モバイル端末固定装置の保護カバーを提供する。
【００１３】
本願の第９考案は、前記吸盤が、一体成型、粘着、嵌入または挿入の方式で前記ベース座体内面または前記緩衝パッド上に設置されることを特徴とする、前記第８考案のハンドヘルド型モバイル端末固定装置の保護カバーを提供する。
【００１４】
本願の第１０考案は、前記フレームが環状またはコ字形（門形）であることを特徴とする、前記第１考案のハンドヘルド型モバイル端末固定装置の保護カバーを提供する。
【００１５】
本願の第１１考案は、前記位置決めフレームと第１連結部の間が第１係合部と第２係合部により相互に組み立てられ、前記第１連結部を前記位置決めフレーム上に迅速に連結したり、前記第１連結部を前記位置決めフレーム上から迅速に取り外したりすることができ、前記第１連結を前記位置決めフレーム上から取り外した後、前記位置決めフレームが前記モバイル端末の一般的なカバーとして使用可能であることを特徴とする、前記第１考案のハンドヘルド型モバイル端末固定装置の保護カバーを提供する。
【考案の効果】
【００１６】
本考案のハンドヘルド型モバイル端末固定装置の保護カバーは、携帯が可能で、携帯電話、ゲーム機、電子ブックリーダー、ＧＰＳナビゲーションシステムまたはタブレットコンピュータ等のモバイル端末を挟持して懸持でき、先行技術中の多くの問題を克服できる。
【図面の簡単な説明】
【００１７】
【図１】本考案の実施例１の正面図である。
【図２】図１の上面図である。
【図３】図１の位置決めフレームの立体図である。
【図４】本考案の追加実施形態の正面図である。
【図５】本考案の別の追加実施形態の正面図である。
【図６】図５の上面図である。
【図７】図５の使用状態を示す部分拡大図である。
【図８】本考案のさらに別の追加実施形態の正面図である。
【図９】図８の位置決めフレームの正面図である。
【図１０】本考案の使用状態を示す図である。
【図１１】本考案の別の使用状態を示す図である。
【図１２】図３の別の追加実施形態の立体図である。
【図１３】図３のさらに別の追加実施形態の立体図である。
【図１４】図３を別の角度から見た立体図である。
【図１５】本考案の実施例２の正面図である。
【考案を実施するための形態】
【００１８】
以下、図面を参照しながら本考案の実施例について説明する。
【実施例１】
【００１９】
図１から図１４に本考案の実施例１を示す。本考案のハンドヘルド型モバイル端末固定装置の保護カバーは、外部の固定装置上に設置される位置決めフレーム２を備えている。
【００２０】
そのうち、位置決めフレーム２はフレーム２２を備え、フレーム２２内壁に外部の携帯電話、ゲーム機、電子ブックリーダー、ＧＰＳナビゲーションシステムまたはタブレットコンピュータ等のモバイル端末６を嵌持して位置決めするために用いられる。位置決めフレーム２上には取り外し可能で固定装置に連結するために用いる第１連結部２０が設けられ、前記固定装置が位置決めフレーム２を外部物品上に固定してモバイル端末６を懸持するために用いられる。
【００２１】
そのうち、位置決めフレーム２のフレーム２２はモバイル端末６の外囲に直接被着して、モバイル端末６の緩衝カバーとして使用することができ、位置決めフレームのフレームも吸盤の形態としてもよい。
【００２２】
位置決めフレーム２はベース座体２１を備え、フレーム２２をベース座体２１の周辺に環状に設けてもよく、ベース座体２１とフレーム２２内壁の間に外部のモバイル端末６を嵌持して位置決めするために用いる位置決め槽２３が形成され、かつ第１連結部２０がフレーム２２外壁、またはベース座体２１上の位置決め槽２３と反対の位置に設けられる。
【００２３】
ベース座体２１上には位置決め槽２３に連通されたウィンドウ２７を設置してもよく、モバイル端末６がカメラ機能を具備しているとき、ウィンドウ２７がモバイル端末６のカメラレンズに対応し、モバイル端末６がウィンドウ２７を介して外部に露出され、撮影を行うことができる。
このほか、ウィンドウはフレーム２２上に設けてもよく、モバイル端末６の側面にあるポート、音量調整ボタン、その他機能のインターフェースをフレーム２２上のウィンドウから外部に露出させることができる。
【００２４】
固定装置は延伸棒１と固定部材３を含み、位置決めフレーム２の第１連結部２０が延伸棒１の一端に設けられ、固定部材３が延伸棒１の他端に設けられ、延伸棒１と位置決めフレーム２を外部物品上に固定するために用いられる。
外部物品は平面または棒体を含み、延伸棒１は垂直または水平方向に剛性を備え、固定部材３は水平または垂直の平面または棒体を挟み込み、使用者がモバイル端末６をタッチ制御できるようにして、モバイル端末６が使用者によってタッチされるとき、延伸棒１と固定部材３により外部物品上に強制的に位置決めされ、ぐらつきやずれが生じないようにモバイル端末６が保持される。
【００２５】
前記棒体は、公共交通機関の車両内及び周辺の人が握持するために用いることができる水平ポール７１と垂直ポール７２としてもよい。
【００２６】
固定部材３は少なくとも１つの可動はさみ部３１、３２を備えている。
【００２７】
固定部材３は少なくとも２つの相互に対称の可動はさみ部３１、３２を備え、各組のはさみ部３１、３２上にそれぞれ回転軸３３、３４が枢設され、各回転軸３３、３４上にネジ孔３３１、３４１が設けられる。
はさみ部３１、３２の回転軸３３、３４のネジ孔３３１、３４１間にはボルト３５が螺着され、ボルト３５で片側からはさみ部３１、３２の間の開き具合を調整し、外部物品を挟持したり、解放したりすることができ、かつボルト３５の一端に使用者がボルト３５を回動させるために利用する調整ヘッド３５１が設置される。
【００２８】
または、固定部材３ａは少なくとも２つの相互に対称な可動はさみ部３１ａ、３２ａと、はさみ部３１ａ、３２ａ外囲まで延伸されたカバー３８ａを含む。各組のはさみ部３１ａ、３２ａ上にそれぞれ回転軸３３ａ、３４ａが枢設され、各回転軸３３ａ、３４ａ上にネジ孔３３１ａ、３４１ａがそれぞれ設けられ、カバー３８ａ上に回転軸３３ａ、３４ａに近接した２つのネジ孔３８１ａ、３８２ａがそれぞれ設けられる。
各はさみ部３１ａ、３２ａの回転軸３３ａ、３４ａのネジ孔３３１ａ、３４１ａと、相隣するカバー３８ａのネジ孔３８１ａ、３８２ａ間にはそれぞれボルト３５ａ、３６ａが螺着され、２本のボルト３５ａ、３６ａを利用して両側からはさみ部３１ａ、３２ａ間の開き具合を調整し、外部物品を挟持したり、解放したりすることができる。またボルト３５ａ、３６ａの一端に使用者がボルト３５ａ、３６ａを回動させるために利用する調整ヘッド３５１ａ、３６１ａが設置される。
【００２９】
或いは、固定部材３ｃは少なくとも２つの相互に対称な可動はさみ部３１ｃ、３２ｃを含み、かつ固定部材３ｃ上にはさみ部３１ｃ、３２ｃの間の開き具合を駆動して調整できる駆動装置３７ｃが設置され、駆動装置３７ｃはモーターとすることができる。
【００３０】
固定部材３、３ａ、３ｂ、３ｃは後端部に第２連結部３０、３０ａ、３０ｂ、３０ｃを備え、延伸棒１、１ａ、１ｂの他端に固定部材３、３ａ、３ｂ、３ｃの第２連結部３０、３０ａ、３０ｂ、３０ｃを結合可能な第１接続部１１、１１ａ、１１ｂが設けられる。第２連結部３０、３０ａ、３０ｂ、３０ｃと第１接続部１１、１１ａ、１１ｂの結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００３１】
はさみ部３１ｂまたは３２ｂはリリース装置３２０ｂを備え、リリース装置３２０ｂは、固定部材３ｂ上に枢着されたベース部３２１ｂと、ベース部３２１ｂ上の固定部材３ｂから離れた位置に枢着された爪部３２２ｂを含む。ベース部３２１ｂと爪部３２２ｂが相対する接合面上にはそれぞれ位置決め孔３２３ｂ、３２４ｂが設けられ、位置決め孔３２３ｂ、３２４ｂ間に位置決め棒３２５ｂが穿設される。
ベース部３２１ｂと爪部３２２ｂを結合して固定し、固定部材３ｂを公共交通機関の車内及び周辺の人が握持するために用いる水平ポール７１や垂直ポール７２上から急いで取り外す必要があるときは、リリース装置３２０ｂの位置決め棒３２５ｂを抜き取ると、爪部３２２ｂが外側に向かって揺動し、固定部材３ｂが緩むため、リリース装置３２０ｂを開くことができる。
【００３２】
延伸棒１、１ａ、１ｂは単数または複数とすることができ、かつ延伸棒１ｂは管状であり、相互に入れ子状に連結され、延伸棒１ｂは多段式の伸縮機能を備えており、延伸棒の使用時の全体長さを増加できる。
【００３３】
或いは、各延伸棒１ａ間を一個以上の角度調整が可能な可動ジョイント１０ａで相互に連結し、延伸棒１ａを相互に折り畳み可能として、多段式の展開機能を具備させ、延伸棒１ａの使用時の全体長さを増加できる。
【００３４】
延伸棒１、１ａ、１ｂは一端に位置決めフレーム２の第１連結部２０を結合可能な第２接続部１２、１２ａ、１２ｂが設けられ、第１連結部２０と第２接続部１２、１２ａの結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００３５】
位置決めフレーム２とモバイル端末６との接触面には緩衝パッド４３を設置して、位置決めフレーム２のモバイル端末６表面に対する滑り止め機能を高める。
【００３６】
または、位置決めフレーム２ａのフレーム２２は、ベース座体２１ａの一側に設置された固定枠２２１ａ、及びベース座体２１ａの他方の一側に可動的に配置された可動枠２２２ａを備え、可動枠２２２ａをベース座体２１ａの他方の一側に可動的に配置する方式は、ガイド棒２４ａ、軌道、刻み、歯車の摺動、引っ張り、回動を含む。
可動枠２２２ａと固定枠２２１ａ間をちょうどモバイル端末６が入るように調整したとき、挟み込み、ネジ止め、粘力、油圧、表面張力、加圧、バネ２５ａの引っ張り力、吸引力、トルクを含む方式で、可動枠２２２ａを固定枠２２１ａの方向に駆動して移動させ、モバイル端末６を挟持し、さまざまな寸法のモバイル端末６を可動枠２２２ａと固定枠２２１ａの間にしっかりと挟持することができる。
【００３７】
位置決めフレーム２ａとモバイル端末６との接触面には緩衝パッド４３を設置して、位置決めフレーム２ａのモバイル端末６表面に対する滑り止め機能を高める。
【００３８】
位置決めフレーム２ａの可動枠２２２ａは、ベース座体２１ａの一側において移動させ、寸法を調整することができ、かつ位置決めフレーム２ａは第１連結部２０ａにより延伸棒１、１ａ、１ｂを軸として９０度の角度で回動させることができる。
【００３９】
位置決めフレーム２ａのベース座体２１ａ内面または緩衝パッド４３上にモバイル端末６を吸着して保持できる少なくとも１つの吸盤２６ａを設け、モバイル端末６をよりしっかりと保持できるように位置決めフレーム２ａとモバイル端末６の密着力を増加する。
【００４０】
吸盤２６ａは一体成型、粘着、嵌入または挿入の方式でベース座体２１ａ内面または緩衝パッド４３上に設置することができる。
【００４１】
または、図１２及び図１３に示すように、位置決めフレーム２ｂ、２ｃのベース座体は省略してもよく、フレーム２２ｂ、２２ｃのみを利用して外部のモバイル端末６を嵌持して位置決めし、かつ第１連結部２０ｂ、２０ｃはフレーム２２ｂ、２２ｃの外壁面上に設けてもよい。フレーム２２ｂ、２２ｃは環状またはコ字形（門形）とすることができ、第１連結部２０、２０ａ、２０ｂ、２０ｃは直線状または湾曲した形態としてもよい。
【００４２】
位置決めフレーム２、２ａの形式は、各モバイル端末６の個別の寸法に合わせて結合できるカバーとして直接設計することができ、このカバーには保護カバー、保護ケース、保護フィルム、携帯電話入れ、保護ポーチ、保護ハウジング、ホルダー、皮ケースまたはモバイル端末６本体の筐体を含むことができる。
【００４３】
また、位置決めフレーム２、２ａは各モバイル端末６の詳細な寸法に基づきカスタマイズして生産し、直接モバイル端末６の寸法に合う固定の保護カバーまたは保護ケースを作り、共通するサイズに設けた第１連結部２０、２０ａと延伸棒１、１ａ、１ｂを利用して相互に結合することもできる。
【００４４】
位置決めフレーム２、２ｂ、２ｃと第１連結部２０、２０ｂ、２０ｃ間は第１係合部８１と第２係合部８２により相互に組み立ててもよく、第１連結部２０、２０ｂ、２０ｃを位置決めフレーム２、２ｂ、２ｃ上に迅速に連結したり、位置決めフレーム２、２ｂ、２ｃ上から迅速に取り外したりすることができ、第１連結部２０、２０ｂ、２０ｃを位置決めフレーム２、２ｂ、２ｃ上から取り外した後、位置決めフレーム２、２ｂ、２ｃはモバイル端末６の一般的なカバーとして使用することができる。
【００４５】
上述により、保護カバーは便利に携帯することができ、平時はモバイル端末６の外囲に直接被着して緩衝カバーとして使用でき、かつ固定部材３、３ａ、３ｂ、３ｃにより公共交通機関の車両内及び周辺の人が握持するための水平ポール７１と垂直ポール７２上に便利かつ迅速に取り付けることができる。
同時に位置決めフレーム２、２ａを利用して携帯電話、ゲーム機、電子ブックリーダー、ＧＰＳナビゲーションシステムまたはタブレットコンピュータ等のモバイル端末６を挟持し、取り付け後長距離、短距離の公共交通機関を利用し、同時にモバイル端末６を使用する必要がある場合、長時間手に物を持っている時間を減少でき、肩や首の過度の使用による痛みを回避することができる。
【実施例２】
【００４６】
図１５に本考案の実施例２を示す。固定装置が固定部材３を含み、位置決めフレーム２の第１連結部２０を固定部材３上に設ける。
固定部材３は平面または棒体を含む外部物品上に位置決めフレーム２を固定するために用いられ、前記固定部材３は水平または垂直の平面または棒体を挟み込み、使用者がモバイル端末６をタッチ制御できるようにする。モバイル端末６が使用者によってタッチされるとき、固定部材３により外部物品上に強制的に位置決めされ、ぐらつきやずれが生じないようにモバイル端末６が保持される。
【００４７】
固定部材３は位置決めフレーム２の第１連結部２０を結合可能な第２連結部３０を備え、第２連結部３０と第１連結部２０の結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【符号の説明】
【００４８】
１、１ａ、１ｂ  延伸棒
１０ａ  ジョイント
１１、１１ａ、１１ｂ  第１接続部
１２、１２ａ、１２ｂ  第２接続部
２、２ａ、２ｂ、２ｃ  位置決めフレーム
２０、２０ａ、２０ｂ、２０ｃ  第１連結部
２１、２１ａ  ベース座体
２２、２２ａ、２２ｂ、２２ｃ  フレーム
２２１ａ  固定枠
２２２ａ  可動枠
２３  位置決め槽
２４ａ  ガイド棒
２５ａ  バネ
２６ａ  吸盤
２７  ウィンドウ
３、３ａ、３ｂ、３ｃ  固定部材
３０、３０ａ、３０ｂ、３０ｃ  第２連結部
３１、３２、３１ａ、３２ａ、３１ｂ、３２ｂ、３１ｃ、３２ｃ  はさみ部
３２１ｂ  ベース部
３２２ｂ  爪部
３２３ｂ、３２４ｂ  位置決め孔
３２５ｂ  位置決め棒
３３、３４、３３ａ、３４ａ  回転軸
３３１、３４１、３３１ａ、３４１ａ、３８１ａ、３８２ａ  ネジ孔
３５、３５ａ、３６ａ  ボルト
３５１、３５１ａ、３６１ａ  調整ヘッド
３７ｃ  駆動装置
３８ａ  カバー
４３  緩衝パッド
６  モバイル端末
７１  水平ポール
７２  垂直ポール
８１  第１係合部
８２  第２係合部
【図１】
0003180903.tif 000003
【図２】
0003180903.tif 000004
【図３】
0003180903.tif 000005
【図４】
0003180903.tif 000006
【図５】
0003180903.tif 000007
【図６】
0003180903.tif 000008
【図７】
0003180903.tif 000009
【図８】
0003180903.tif 000010
【図９】
0003180903.tif 000011
【図１０】
0003180903.tif 000012
【図１１】
0003180903.tif 000013
【図１２】
0003180903.tif 000014
【図１３】
0003180903.tif 000015
【図１４】
0003180903.tif 000016
【図１５】
0003180903.tif 000017